(57)【特許請求の範囲】
【請求項１】
外枠に対し開閉可能に取り付けられた前枠と、該前枠が開かぬように施錠するとともに手動操作により開錠される前枠施錠機構とを有する遊技機に設けられ、前記前枠施錠機構の開錠動作を阻止し得る施錠ロック装置であって、
前記施錠機構の開錠動作を阻止するロック部材と、該ロック部材を拘束及び拘束解除可能なストッパ部材と、給電された際に前記ストッパ部材を駆動する駆動手段と、該駆動手段に給電するか否かを選択するスイッチング手段とを備え、
前記前枠施錠機構は、該前枠を閉位置に拘束する施錠位置と、前枠を開閉自在とする開錠位置とに手動操作により変位可能な鈎部材を有し、
前記ロック部材は、前記施錠位置にある鈎部材に直接係合して該鈎部材の開錠位置への変位を阻止する係止部を有し、該係止部はロック部材の位置に関わらず、前記鈎部材を施錠位置に変位させる方向にのみ一定範囲で変位可能に設けられ、
前記ストッパ部材は、前記ロック部材がロック位置からロック解除位置に変位するのを阻止する拘束位置と、前記ロック部材のロック解除位置への変位を許容する拘束解除位置とに変位可能に設けられ、
前記駆動手段は、前記スイッチング手段がＯＮ状態であるときのみ給電可能であり、給電された際に前記ストッパ部材を拘束解除位置に変位させるように構成され、
前記スイッチング手段は、通常ＯＦＦ状態だが前記前枠施錠機構における開錠時の初期動作に連動してＯＮ状態となり、開錠動作が終了するまでの間ＯＮ状態を維持するように構成されたことを特徴とする施錠ロック装置。
【発明の詳細な説明】
【０００１】
【発明の属する技術分野】
本発明は、外枠に対し開閉可能に取り付けられた前枠と、該前枠が開かぬように施錠するとともに手動操作により開錠される前枠施錠機構とを有する遊技機に設けられ、前記前枠施錠機構の開錠動作を阻止し得る施錠ロック装置に関する。
【０００２】
【従来の技術】
従来、パチンコ機等の遊技機は、箱状の外枠の正面側に前枠が開閉可能に取り付けられており、前枠を開いた際に遊技盤面上の各種役物や釘等の調整ができるようになっている。そして遊技機には、前記前枠が開かぬように施錠するとともに手動操作により開錠される前枠施錠機構が設けられていた。
【０００３】
一般に前枠施錠機構は、前枠を閉じた際に、前枠側に設けた鈎部材が外枠側に設けた鈎受けに対して係合するようになっており、前枠側に設けられた鍵穴に鍵を差し込んで回した場合に、鈎部材が鈎受けから外れて開錠され、前枠を開くことができるように構成されていた。
【０００４】
【発明が解決しようとする課題】
しかしながら、前述した従来の遊技機の前枠施錠機構では、鍵を使った手動操作だけで前枠を容易に開けることができたため、悪意を持った者が合い鍵等で前枠を開けることは比較的容易であり、遊技機の裏面側に配された制御基盤等を故意に改変するような不正行為を防止することが難しかった。
【０００５】
こうした不正行為を防止するために、最近では前記前枠施錠機構よりも厳重な施錠が可能であり、手動操作に基づく機械的動作だけでは開錠できない電動式の施錠装置の開発も進んでいる。かかる電動式施錠装置は、例えば閉店後に給電が断たれると前枠を閉状態に拘束し、営業時間内にて給電するとその間だけ前枠の開閉を許容するような開閉制御機構を備えるように構成される。
【０００６】
ところが、既存の施錠機構を一々取り外して新たに電動式施錠装置を取り付けるとなると、大掛かりな改修工事が必要となり、多大なコストがかかるという問題があった。しかも、前記電動式施錠装置では、前枠の開閉を許容する間はずっと給電し続ける必要があるため、給電に基づく発熱対策が別途必要となり、更には余分に消費電力がかかって経費削減も困難になるという問題も生じる。
【０００７】
本発明は、以上のような従来技術が有する問題点に着目してなされたもので、既存の前枠施錠機構を備えた遊技機に付加するだけで、該前枠施錠機構に対する不正な開錠操作を確実に防止でき、しかも確実な操作や制御が可能となる電動式であるにもかかわらず、消費電力や発熱を抑えることが可能な施錠ロック装置を提供することを目的としている。
【０００８】
【課題を解決するための手段】
前述した目的を達成するための本発明の要旨とするところは、次の項に存する。
［１］外枠（２）に対し開閉可能に取り付けられた前枠（３）と、該前枠（３）が開かぬように施錠するとともに手動操作により開錠される前枠施錠機構（１０）とを有する遊技機（１）に設けられ、前記前枠施錠機構（１０）の開錠動作を阻止し得る施錠ロック装置（２０）であって、
前記施錠機構の開錠動作を阻止するロック部材（３０）と、該ロック部材（３０）を拘束及び拘束解除可能なストッパ部材（４０）と、給電された際に前記ストッパ部材（４０）を駆動する駆動手段（５０）と、該駆動手段（５０）に給電するか否かを選択するスイッチング手段（５７）とを備え、
前記前枠施錠機構（１０）は、該前枠（３）を閉位置に拘束する施錠位置と、前枠（３）を開閉自在とする開錠位置とに手動操作により変位可能な鈎部材（１２）を有し、
前記ロック部材（３０）は、前記施錠位置にある鈎部材（１２）に直接係合して該鈎部材（１２）の開錠位置への変位を阻止する係止部（３２）を有し、該係止部（３２）はロック部材（３０）の位置に関わらず、前記鈎部材（１２）を施錠位置に変位させる方向にのみ一定範囲で変位可能に設けられ、
前記ストッパ部材（４０）は、前記ロック部材（３０）がロック位置からロック解除位置に変位するのを阻止する拘束位置と、前記ロック部材（３０）のロック解除位置への変位を許容する拘束解除位置とに変位可能に設けられ、
前記駆動手段（５０）は、前記スイッチング手段（５７）がＯＮ状態であるときのみ給電可能であり、給電された際に前記ストッパ部材（４０）を拘束解除位置に変位させるように構成され、
前記スイッチング手段（５７）は、通常ＯＦＦ状態だが前記前枠施錠機構（１０）における開錠時の初期動作に連動してＯＮ状態となり、開錠動作が終了するまでの間ＯＮ状態を維持するように構成されたことを特徴とする施錠ロック装置（２０）。
【００１２】
次に前述した解決手段に基づく作用を説明する。
［１］記載の施錠ロック装置（２０）によれば、前枠施錠機構（１０）の開錠動作を阻止するセキュリティ状態では、前記ロック部材（３０）は、前枠施錠機構（１０）の開錠動作をその初期動作を除いて阻止するロック位置にある。このときロック部材（３０）は、拘束位置にあるストッパ部材（４０）によって、ロック位置に規制されるためロック解除位置に変位することはない。
【００１３】
前記セキュリティ状態にて、許容される前枠施錠機構（１０）の開錠動作における初期動作を行うと、これに連動してスイッチング手段（５７）が通常ＯＦＦ状態からＯＮ状態になる。スイッチング手段（５７）は、前枠施錠機構（１０）の開錠動作が終了するまでの間ＯＮ状態に維持される。
【００１４】
スイッチング手段（５７）がＯＮ状態の際に、駆動手段（５０）に給電すると、該駆動手段（５０）の作動によりストッパ部材（４０）が拘束解除位置に変位させられる。このとき前記ロック部材（３０）をロック解除位置に変位させることができる。すなわち、施錠ロック装置（２０）はセキュリティ解除状態となり、前枠施錠機構（１０）の手動による開錠動作を総て完結でき、前枠（３）を開くことができる。
【００１５】
前枠施錠機構（１０）の開錠動作が終了すると、スイッチング手段（５７）は通常のＯＦＦ状態に戻る。かかるＯＦＦ状態では、駆動手段（５０）に給電することができない。すなわち、スイッチング手段（５７）がＯＮ状態のときだけ、駆動手段（５０）に給電することができる。
【００１６】
以上のように、本施錠ロック装置（２０）によれば、ロック部材（３０）がロック位置にあるときは、前枠施錠機構（１０）の開錠動作が規制されるため、手動でこの開錠動作を行おうとしても操作不能であり、前枠（３）を開けることができず、不正行為を確実に防止することができる。
【００１７】
また、駆動手段（５０）に給電することで前記セキュリティ状態が解除されるが、実際に駆動手段（５０）に給電するのは、前枠施錠機構（１０）の開錠動作における初期動作を行った後、電力でストッパ部材（４０）を拘束解除位置に変位させてから、ロック部材（３０）をロック解除位置に変位させて前枠（３）を開けるまでの間だけである。従って、長時間に亘る給電による発熱に対する特別な対策は不要であり、また消費電力も極力抑えることが可能となる。
【００１８】
更に、前枠施錠機構（１０）の開錠動作における初期動作を行って、前記スイッチング手段（５７）がＯＮ状態となっても、結局、駆動手段（５０）に給電されなければ、前枠施錠機構（１０）を開錠して前枠（３）を開くことができない。逆に前記スイッチング手段（５７）がＯＦＦ状態であれば、駆動手段（５０）に給電することもできない。このようにスイッチング手段（５７）の状態如何で給電可能か否かまで左右されるため、前枠施錠機構（１０）の不正な開錠操作に対する防御をより一層高めることができる。
【００２１】
更に［１］記載の場合、前記前枠施錠機構（１０）は、手動操作で鈎部材（１２）を変位させることにより、前枠（３）が開かぬように施錠したり、これを開錠できる。ここで施錠ロック装置（２０）のロック部材（３０）は、ロック位置にあるときその係止部（３２）が前記鈎部材（１２）に直接係合して該鈎部材（１２）の開錠位置への変位を阻止する。
【００２２】
一方、ロック部材（３０）の係止部（３２）は、ロック部材（３０）の位置に関わらず、前記鈎部材（１２）を施錠位置に変位させる方向にのみ一定範囲で変位できるため、駆動手段（５０）とは関係なく、前枠施錠機構（１０）において前枠（３）が開いている状態から前枠（３）が開かぬように施錠することができる。
【００２５】
【発明の実施の形態】
以下、図面に基づき本発明を代表する実施の形態を説明する。
図１〜図９は本発明の一実施の形態を示している。
本実施の形態に係る施錠ロック装置２０は、遊技機１に設けられ、該遊技機１の前枠施錠機構１０の開錠時における動作を阻止し得るものである。
【００２６】
ここで先ず遊技機１は、ハンドル操作により遊技盤面上に球を打ち出し、各種役物への打球の入賞を競い楽しむパチンコ機である。図９に示すように、遊技機１は、箱状の外枠２と、外枠２に対し開閉可能に取り付けられる前枠３と、前枠施錠機構１０とを備えている。
【００２７】
外枠２の一側端にはヒンジ４が設けられており、このヒンジ４を介して遊技盤面を含む前枠３が開閉可能に取り付けられている。前枠施錠機構１０は、前枠３に変位可能に設けられた上下一対の鈎部材１１，１２と、外枠２に固設された上下一対の鈎受け１３，１４とを有する。
【００２８】
外枠２の一側端の内壁面には、上下に延びるスライド部材１５が、支持ブラケット１６を介して上下移動可能に設けられている。このスライド部材１５の上下部に、それぞれ前記鈎部材１１，１２が所定角度まで同期して回動可能に枢着されている。
【００２９】
鈎部材１１，１２は、スライド部材１５が下降位置に移動すると、鈎受け１３，１４と係合して前枠３が開かぬ施錠位置（図１参照）に回動する一方、スライド部材１５が上昇位置に移動すると、鈎受け１３，１４から外れて前枠３が開く開錠位置（図３参照）まで回動するように設定されている。
【００３０】
スライド部材１５は、図示省略したバネによって通常時は下降位置に維持され、鈎部材１１，１２は鈎受け１３，１４に係合しているが、鍵穴１７に差し込まれた鍵を回す手動操作によりスライド部材１５が上昇位置に移動すると、鈎部材１１，１２が鈎受け１３，１４から外れて開錠できるようになっている。
【００３１】
このような前枠施錠機構１０を備えた遊技機１に、本発明に係る施錠ロック装置２０は設けられている。図８及び図９に示すように、施錠ロック装置２０は、そのロック部材３０が前記前枠施錠機構１０の鈎部材１２に係脱し得るように、外枠２の一側端の内壁面に取り付けられている。
【００３２】
施錠ロック装置２０は、ケース２１と、ケース２１に内装されるロック部材３０、ストッパ部材４０、スイッチング手段５７、それに駆動手段５０等を具備して成る。ケース２１は、図６に示すように、各部品を内装する際は２分割できるようになっており、図７に示すように、一体に組み合わされた状態で、取付ブラケット２１ａを介して外枠２の適所に固設される。
【００３３】
ロック部材３０は、前記前枠施錠機構１０の開錠動作を直接阻止する部材であり、回転体３１と、該回転体３１の一端より突出する係止片（係止部）３２とから成る。回転体３１の主要部は、ケース２１内の収納部２２に内装されるが、回転体３１の一端側と係止片３２は、ケース２１の上部側方に開設された開口部２４からケース２１外部に突出する。
【００３４】
回転体３１にある軸受け部３４には、ケース２１側の枢支軸２３が貫通している。この枢支軸２３によってロック部材３０は、前記前枠施錠機構１０の開錠動作を直接阻止するロック位置と、前記前枠施錠機構１０の開錠動作を許容するロック解除位置とに回動可能に軸支されている。ここでロック部材３０は、その回転体３１の突起３５に掛止されたバネ部材（第１付勢手段）２８によって、通常は図１に示すロック位置に維持されるように付勢されている。
【００３５】
一方、係止片３２は、回転体３１の一端に突設する枢支ピン３３を介して、回転体３１自体に対し回動可能に枢支されている。ここで係止片３２は、その基端側にあるストッパ３２ａが回転体３１の突片３６に通常当接するように、巻きバネ３２ｂにより図１中で時計方向に付勢されている。
【００３６】
図１乃至図２に示すように、ロック部材３０がロック位置にあるとき、係止片３２は、鈎部材１２に係合して鈎部材１２の回動操作を阻止するように位置する。詳しく言えば、ロック位置には、図１に示す如く回転体３１の被係合部３７にストッパ部材４０が係合しない第１ロック位置と、図２に示す如く被係合部３７にストッパ部材４０が係合する第２ロック位置とがある。
【００３７】
一方、図３に示すように、ロック部材３０の被係合部３７からストッパ部材４０の係合部４２が外れると、ロック部材３０はロック解除位置に回動できる。すなわち、ロック部材３０は、その係止片３２が鈎部材１２により下方へ押されると、図３中で時計方向に回動できるようになる。
【００３８】
ストッパ部材４０は、前記ロック部材３０をロック位置に拘束し、またその拘束を解除可能な部材である。ストッパ部材４０の枢支部４１には、ケース２１側の枢支ピン２５が貫通している。また、ストッパ部材４０の上端側には係合部４２が設けられており、下端部４３は後述するソレノイド５１のプランジャ５２に押し引き可能に連結されている。
【００３９】
ストッパ部材４０は、図１及び図２に示す拘束位置と、図３に示す拘束解除位置とに回動可能に、前記枢支ピン２５によって軸支されている。図２に示すように、ストッパ部材４０が拘束位置にあるときは、その係合部４２がロック部材３０の被係合部３７に係合するため、該ロック部材３０がロック位置からロック解除位置に回動するのが阻止されている。
【００４０】
一方、図３に示すように、ストッパ部材４０が拘束解除位置に回動すると、前記係合部４２が被係合部３７から外れるため、該ロック部材３０がロック解除位置へ回動できる状態となる。かかるストッパ部材４０は、後述するソレノイド５１によって通常はロック位置に保持されている。
【００４１】
スイッチング手段５７は、ＯＦＦ状態とＯＮ状態とに切り換え可能であり、ＯＮ状態になったときだけ、ソレノイド５１に給電可能な状態を形成するものである。かかるスイッチング手段６０は、通常ＯＦＦ状態だが前記前枠施錠機構１０における開錠時の初期動作に連動してＯＮ状態となり、開錠動作が終了するまでの間ＯＮ状態を維持するように構成されている。
【００４２】
具体的にはスイッチング手段５７は、ケース２１の下部に内装されたマイクロスイッチ５８から成る。マイクロスイッチ５８は、押圧されるとＯＮになる可動子５９を有している。この可動子５９は、ロック部材３０が図２に示す第２ロック位置まで回動すると、回転体３１のカム部３８に押圧されてＯＮとなり、続いてロック部材３０がロック解除位置に回動した際も、カム部３８に押圧されるように位置決めされている。
【００４３】
駆動手段５０は、給電されると前記ストッパ部材４０を駆動するものであるが、かかる駆動手段５０は、前記スイッチング手段５７がＯＮ状態であるときのみ給電可能であるように制御される。駆動手段５０は、具体的に言えば、一時給電される毎に一往復運動するプランジャ５２を備えたソレノイド５１から成る。
【００４４】
ソレノイド５１に給電されていない通常時は、図１，２に示す如くプランジャ５２がバネ部材５３の付勢力により突出した状態に維持される。一方、ソレノイド５１に給電するとその間だけ励磁し、その電磁力でプランジャ５２が、図３に示す如くバネ部材５３の付勢力に抗して引っ張られ、没入した状態となる。
【００４５】
プランジャ５２の先端部には、前記ストッパ部材４０の下端部４３が押し引き可能に連結されている。すなわち、プランジャ５２が通常の突出した状態にあるときは、ストッパ部材４０は拘束位置に直接保持される一方、プランジャ５２が没入すると、ストッパ部材４０は拘束解除位置に回動するようになっている。
【００４６】
次に作用を説明する。
前述した施錠ロック装置２０によれば、図１に示すように、前枠施錠機構１０の開錠動作を阻止するセキュリティ状態では、ロック部材３０は、バネ部材２８の付勢力により第１ロック位置に保持される。
【００４７】
このときロック部材３０の係止片３２は鈎受け１４の下端側１４ａに当接し、係止片３２の先端は鈎部材１２の下側を臨んでいる。また、マイクロスイッチ５８の可動子５９は、ロック部材３０のカム部３８に押圧されていない。従って、マイクロスイッチ５８はＯＦＦ状態であり、ソレノイド５１に給電することはできない。
【００４８】
図８に示す鍵穴１７に鍵を差し込んで回すと、鈎部材１２は図１中で反時計方向に回動しようとするが、図２に示すように、ロック部材３０を第２ロック位置まで僅かだけ回動させた時点で操作不能となる。すなわち、ロック部材２０が第２ロック位置に回動したとき、拘束位置にあるストッパ部材４０の係合部４２がロック部材３０の被係合部３７に係合するため、ロック部材３０のそれ以上の回動は阻止される。
【００４９】
このようにセキュリティ状態では、鍵操作だけで前枠施錠機構１０の開錠動作を行おうとしても、ロック部材３０が、図１に示す第１ロック位置から図２に示す第２ロック位置まで回動する初期動作にとどまる。ロック部材３０が第１ロック位置乃至第２ロック位置にある間は、係止片３２が鈎部材１２の動きを規制する。従って、悪意ある者が、単に前枠施錠機構１０の合い鍵を使って開錠しようとしても、前枠３を開けることができず、不正行為を防止することができる。
【００５０】
遊技店側が前記セキュリティ状態を解除するには、次の動作を行う必要がある。先ず前述した通りの前枠施錠機構１０の開錠動作における初期動作を行う。かかる初期動作において、ロック部材３０が図２に示す第２ロック位置まで回動すると、マイクロスイッチ５８の可動子５９が回転体３１のカム部３８に押圧され、スイッチング手段５７がＯＮ状態となる。スイッチング手段５７は、前枠施錠機１０の開錠動作が終了するまでの間ＯＮ状態に維持される。
【００５１】
かかるスイッチング手段５７がＯＮ状態の際に、駆動手段５０のソレノイド５１に給電すると、ソレノイド５１は励磁し、その電磁力でプランジャ５２が、図３に示すように没入した状態になる。このような図２→図３の順で示すプランジャ５２の没入動作に伴い、ストッパ部材４０は拘束解除位置まで回動する。
【００５２】
それにより、ロック部材３０をロック解除位置まで回動させることができるようになり、施錠ロック装置１０はセキュリティ解除状態となる。図３においてロック部材３０を更に時計方向に回動させるように、鈎部材１２を、鈎受け１４から外れる反時計方向に回動させると、前枠施錠機構１０の開錠動作を完結でき、前枠３を開くことができる。
【００５３】
鈎部材１２を鈎受け１４から外し前枠３を開くと、ロック部材３０はバネ部材２８の付勢力により反時計方向に回動して元の第１ロック位置に戻る。この時点で、スイッチング手段５７は再びＯＦＦ状態となり、ソレノイド５１への給電が断たれる。すると、図３→図４の順で示すように、プランジャ５２はバネ部材５３の付勢力で再び突出し、このプランジャ５２の突出動作に伴って、ストッパ部材４０は元の拘束位置に復帰する。
【００５４】
前枠３を閉じる場合は、図５において、前枠３側にある鈎部材１２を、外枠２側の鈎受け１４とロック部材３０の間に押し込めばよい。このときロック部材３０の係止片３２は、ロック部材３０の位置に拘わらず、枢支ピン３３を中心に反時計方向、すなわち前記鈎部材１２を施錠させる方向に回動できるため、駆動手段５０とは関係なく、前枠施錠機構１０を施錠することができる。
【００５５】
以上のように、本施錠ロック装置２０によれば、ソレノイド５１に給電するのは、前枠施錠機構１０の開錠動作における初期動作を行った後、ストッパ部材４０を拘束解除位置に回動させてから、ロック部材３０をロック解除位置に回動させて前枠３を開けるまでの間だけで済む。従って、長時間に亘る給電による発熱に対する特別な対策は不要であり、また消費電力も極力抑えることができる。
【００５６】
また、前枠施錠機構１０の開錠動作における初期動作を行って、スイッチング手段５７がＯＮ状態となっても、結局、駆動手段５０に給電しなければ、前枠施錠機構１０を開錠して前枠３を開くことができない。逆にスイッチング手段５７がＯＦＦ状態であれば、駆動手段５０に給電することもできない。
【００５７】
このようにスイッチング手段５７の状態如何で給電可能かどうかまで左右されるため、前枠施錠機構１０の不正な開錠操作に対する防御を一層と高めることができる。更に、前記ロック部材３０には、前枠施錠機構１０の開錠を直接阻止することで比較的大きな荷重がかかるが、このロック部材３０がソレノイド５１によって直接駆動されることはない。従って、駆動手段５０の出力を抑えることができ、小型化することが可能となる。
【００５８】
なお、図１０に示すように、前枠施錠機構１０の鈎部材１２を上方へ回動させて開錠操作する場合には、施錠ロック装置２０は、その係止片３２が下方を向いて鈎部材１２に上から係合するように外枠２に取り付けるとよい。また、本発明に係る施錠ロック装置の具体的構成は、図示した実施の形態に限定されるものではない。
【００５９】
【発明の効果】
本発明に係る施錠ロック装置によれば、前枠施錠機構を備えた既存の遊技機に付加するだけで、前枠施錠機構の開錠動作を規制することができ、不正行為を確実に防止することができる。また、駆動手段に給電することでセキュリティ状態は解除されるが、実際に給電するのは僅かな時間で済むため、長時間に亘る給電による発熱に対する特別な対策は不要であり、また消費電力も極力抑えることが可能となる。
【００６０】
また、前枠施錠機構の開錠動作における初期動作を行って、スイッチング手段がＯＮ状態となっても、結局、駆動手段に給電されなければ、前枠施錠機構を開錠することができず、逆にスイッチング手段がＯＦＦ状態であれば、駆動手段に給電することもできないため、スイッチング手段の状態如何で給電可能か否かまで選択され、前枠施錠機構の不正な開錠操作に対する防御をより一層高めることができる。
【図面の簡単な説明】
【図１】本発明の一実施の形態に係る施錠ロック装置の内部構造を示す正面図である。
【図２】本発明の一実施の形態に係る施錠ロック装置におけるセキュリティ状態を解除するときの初期の状態を示す作用説明図である。
【図３】本発明の一実施の形態に係る施錠ロック装置におけるセキュリティ状態を解除するときの後期の状態を示す作用説明図である。
【図４】本発明の一実施の形態に係る施錠ロック装置におけるセキュリティ状態を解除し、前枠施錠機構を開錠した状態を示す作用説明図である。
【図５】本発明の一実施の形態に係る施錠ロック装置をセキュリティ解除状態からセキュリティ状態に戻すときの動作を示す作用説明図である。
【図６】本発明の一実施の形態に係る施錠ロック装置を分解して示す分解斜視図である。
【図７】本発明の一実施の形態に係る施錠ロック装置を外枠に取り付ける状態を示す斜視図である。
【図８】本発明の一実施の形態に係る施錠ロック装置を外枠に取り付けた状態を示す斜視図である。
【図９】本発明の一実施の形態に係る施錠ロック装置を装備した遊技機を背後から見た斜視図である。
【図１０】本発明の一実施の形態に係る施錠ロック装置の別の取付状態を示す斜視図である。
【符号の説明】
５７…スイッチング手段
１…遊技機
２…外枠
３…前枠
４…ヒンジ
１０…前枠施錠機構
１２…鈎部材
１５…スライド部材
１６…支持ブラケット
２０…施錠ロック装置
２１…ケース
２１ａ…取付ブラケット
２２…収納部
２３…枢支軸
２４…開口部
２８…バネ部材
３０…ロック部材
３１…回転体
３２…係止片
３４…軸受け部
３７…被係合部
３８…カム部
４０…ストッパ部材
４１…枢支部
４２…係合部
５０…駆動手段
５１…ソレノイド
５２…プランジャ
５３…バネ部材
５７…スイッチング手段
５８…マイクロスイッチ
５９…可動子
【図１】
0003946308.tif 000002
【図２】
0003946308.tif 000003
【図３】
0003946308.tif 000004
【図４】
0003946308.tif 000005
【図５】
0003946308.tif 000006
【図６】
0003946308.tif 000007
【図７】
0003946308.tif 000008
【図８】
0003946308.tif 000009
【図９】
0003946308.tif 000010
【図１０】
0003946308.tif 000011